(57)【特許請求の範囲】
【請求項１】
書籍等を載置して支持し、雲台を介して三脚に取り付けてなる書見台において、
前記三脚は、当該三脚の三脚連結部に対して上下動可能で先端に雲台取付け部を備えたエレベータアームを有し、当該エレベータアームの高さを調整する上下調整ハンドルを備え、前記雲台は上方に架台を備え、当該架台を上下、左右方向に傾斜させる自由度と、水平方向に回転させる自由度を備えると共に、当該自由度を調整し前記架台を所望の位置で固定する調整ハンドルを具備し、前記書見台は、当該書見台の台座部に前記雲台の前記架台に取り付ける取付け部を備え、当該取付け部は前記書見台の横方向中央部で、縦方向中央部より手前側で、更に前記台座部の手前端に設けたページ見開き押え部と当該ページ見開き押え部から書籍等を立てて載置する分を手前に残し、奥側に設けた本立て部の前記台座部に回動可能に設けた一辺との間に設けたことを特徴とする書見台。
【請求項２】
前記書見台の前記雲台との取付け部は、前記書見台の横方向中央部で、縦方向の長さをＬとした場合、縦方向中央部の下端から（１／５〜１／３）×Ｌの範囲内に設けたことを特徴とする請求項１記載の書見台。
【請求項３】
前記書見台は、前記台座部と当該台座部に対し一片を回動可能に取付けた書籍等を見開いた状態で立て掛ける本立て部と前記台座部に対し前記本立て部を所望の角度に調整保持する角度調整部材とを備えたことを特徴とする請求項１または請求項２記載の書見台。
【発明の詳細な説明】
【技術分野】
【０００１】  本発明は書籍、写真、カレンダー、絵葉書、ブロマイド、ポスター、絵画、文字などのカード（以下、書籍等という。）を読みやすく、あるいは見易く載置する書見台に関し、特に、書籍等を載置して支持し、雲台を介して三脚に取り付けて好適な書見台に関する。
【背景技術】
【０００２】  従来の一般的な書見台は、机上、テーブル上などの平面に置く台座部と当該台座部に書籍等を立て掛け、一辺が前記台座部に蝶番等で回動可能に取付けた本立て部と、当該本立て部の傾きを調整可能な角度調整手段を備え、書籍等を読みやすく、あるいは観賞しやすくするよう工夫されている。【０００３】また、更に、このような書見台を、雲台を介して三脚の架台に取り付け、書籍等の載置角度、高さを自由に調整可能とし、書籍等の読み易さ、観賞のしやすさを一層改善したものが知られている。【０００４】  このような三脚、雲台等は、書見台用として専用に構成してもよいが、カメラ用として供されている一般的なものが使用可能である。【０００５】  特許文献１に開示されたものは、雲台を備えた三脚の前記雲台と書見台の間に支持板を介在し、この支持板を前記雲台に固定した後、前記支持板のサイズより大きなサイズの書見台を前記支持板に固定する構成である。【０００６】  特許文献２に開示されたものは、雲台を備えた三脚の雲台部の部分品を外して、別に準備する装着式の専用部品を介在させて、雲台とイーゼルを固定する構成である。【０００７】  しかしながら、特許文献１、特許文献２に示されたものは、書見台、支持板等を、単にその中心位置で、三脚に取付けた雲台に取付けたものであり、その取付け位置には特段の配慮はされていなかった。【０００８】  これら文献に示されたものは、書見台と雲台はネジにより固定されるものである。一般的には、雲台は雄ねじを備えることから、書見台、画板にはこの雄ねじに対応した雌ねじを備える。したがって、書見台、支持板を手に持った状態で、中心部にある雌ねじに、雲台に備えた雄ねじを合わせ、雲台側に備えた雄ねじを回し、両者を固定することは、その位置合わせが面倒となり取付け時間を多く要してしまうと言う欠点があった。また、書見台、支持板の取付け後、三脚、及び雲台には、雲台に取付けた書見台、支持板の水平、垂直方向の角度、およびその高さ調整用の操作ハンドル等を備えるが、これら操作ハンドル等が、書見台の下部に隠れてしまい、これらの操作に支障を来してしまうと言う欠点があった。
【先行技術文献】
【特許文献】
【０００９】
【特許文献１】特許公開２００１−３７５５１公報
【特許文献２】登録実用新案第３１３９４６２号公報
【発明の概要】
【発明が解決しようとする課題】
【００１０】  本発明は、上記の点に鑑みて成されたものであり、その目的とするところは、書籍等を載置して支持し、雲台を介して三脚の架台に取付ける書見台の、前記雲台への取付けが容易で、三脚への取付け後の書見台の角度、高さの調整が容易な書見台を提供することにある。
【課題を解決するための手段】
【００１１】  上記の目的を達成するため本発明の特徴とするところは、書籍等を載置して支持し、雲台を介して三脚に取り付けてなる書見台において、前記三脚は、当該三脚の三脚連結部に対して上下動可能で先端に雲台取付け部を備えたエレベータアームを有し、当該エレベータアームの高さを調整する上下調整ハンドルを備え、前記雲台は上方に架台を備え、当該架台を上下、左右方向に傾斜させる自由度と、水平方向に回転させる自由度を備えると共に、当該自由度を調整し前記架台を所望の位置で固定する調整ハンドルを具備し、前記書見台は、当該書見台の台座部に前記雲台の前記架台に取り付ける取付け部を備え、当該取付け部は前記書見台の横方向中央部で、縦方向中央部より手前側で、更に前記台座部の手前端に設けたページ見開き押え部と当該ページ見開き押え部から書籍等を立てて載置する分を手前に残し、奥側に設けた本立て部の前記台座部に回動可能に設けた一辺との間に設けたことにある。【００１２】  また、前記書見台の前記雲台との取付け部は、前記書見台の横方向中央部で、縦方向の長さをＬとした場合、縦方向中央部の下端から（１／５〜１／３）×Ｌの範囲内に設けたことを特徴とする。【００１３】  更に、本発明の特徴とするところは、前記書見台は、前記台座部と当該台座部に対し一片を回動可能に取付けた書籍等を見開いた状態で立て掛ける本立て部と前記台座部に対し前記本立て部を所望の角度に調整保持する角度調整部材とを備える。
【発明の効果】
【００１４】  本発明によれば、書籍等を載置して支持し、雲台を介して三脚の架台に取付ける書見台の、前記雲台への取付け位置が、手前側となるため、書見台の雲台への取付けに際し、その位置合わせが容易で、また、雲台を有する三脚への取付け後における書見台の手前側への突出量が少なくなるため、書見台の角度、あるいは高さの調整が容易な書見台を得ることができる。【００１５】  また、書見台が台座部と当該台座部に対し一片を回動可能に取付けた書籍等を見開いた状態で立て掛ける本立て部と前記台座部に対し前記本立て部を所望の角度に調整保持する角度保持手段を備えた場合であっても、書見台の手前側への突出量が少なくなるため、書見台の雲台への取付けに際し、その位置合わせが容易で、また、雲台を有する三脚への取付け後における書見台の角度、あるいは高さの調整が容易な書見台を得ることができる。
【図面の簡単な説明】
【００１６】
【図１】本発明の一実施例を示す書見台を、雲台を備えた三脚に取付けた状態を示す斜視図である。
【図２】本発明の一実施例を示す書見台を後方からみた斜視図である。
【図３】本発明の一実施例を示す書見台を前方からみた斜視図である。
【図４】本発明の一実施例を示す書見台の底面図である。
【図５】本発明の他の実施例を示す書見台を、雲台を備えた三脚に取付けた状態を示す斜視図である。
【図６】図１において、書見台に書籍を載置し、公園等で読書をしている状態の一例を示した斜視図である。
【発明を実施するための形態】
【実施例１】
【００１７】  以下、図１に示す、本発明の一実施例について説明する。【００１８】  図１は本発明の一実施例を示す書見台を、雲台を備えた三脚に取付けた状態を示す斜視図であり、１は書見台、２は三脚、３は三脚と書見台を連結する雲台である。この実施例の場合、三脚２、雲台３は、一般的にカメラの撮影用に使用されるものを採用しているが、書見台１用に特別に構成したものであってもよい。
なお、実施例の説明にあたり、書見台１に書籍等を載置し、これを読む、あるいは観賞する側を手前側１１ａといい、これと反対側を奥側１１ｂという。更に、書見台１の傾斜角度にかかわらず、手前側１１ａから見て、左右方向を横方向、この横方向と直角方向を縦方向という。【００１９】  図２、図３、図４に示すように、この実施例の書見台１は、台座部１１と、本立て部１２と、角度調整部材１３とを備えている。本立て部１２は、その一辺が台座部１１の手前端からページ見開き押え部１９と書籍等を立てて載置する分を手前側１１ａに残し、奥側１１ｂに蝶番１４等で回動可能に取付け、書籍等を保持し、これを立て掛ける。１３は本立て部１２の傾きを調整する角度調整部材であり、この角度調整部材１３は本立て部１２の奥側１１ｂに配置し、その一辺を蝶番１５等で台座部１１に取付け、回動自在としてある。これにより、本立て部１２を適当な角度を付けて立て、その状態で、角度調整部材１３を回動し、その先端を本立て部１２の背面に当接すれば、本立て部１２は所定の角度で安定する。１６ａ、１６ｂ、…、１６ｎは本立て部１２の背面に設けたストッパーであり、角度調整部材１３の先端を所望の位置のストッパー１６ａ、１６ｂ、…、１６ｎに掛止めするものであり、本立て部１２の背面に適当な間隔で複数設けてある。これにより、角度調整部材１３の先端をどのストッパー１６ａ、１６ｂ、…、１６ｎに掛止めするかによって、本立て部１２の台座部１１に対する角度、傾きは任意に調整可能となる。【００２０】  １８は書見台１を雲台３に取付ける取付け部であり、台座部１１に雌ねじを埋め込んで構成してある。これは雲台３の取付け手段が雄ねじで構成されているのが一般的であり、この雄ねじに螺合可能なサイズとしてある。ここにおいて重要なことは、取付け部１８の位置である。この位置は、図４に示すように、書見台１を構成する台座部１１の幅方向中央で、縦方向中央よりも手前側１１ａとする。なお、前記したように、手前側１１ａとは、書籍等を書見台１に載置し、この状態で書籍等を閲覧する側をいい、図１においては、図面の右側を手前側１１ａ、左側を奥側１１ｂと言う。【００２１】  図４においては、下方が手前側１１ａ、上方が奥側１１ｂである。また、取付け部１８の位置は、望ましくは、図４に示す通り、台座部１１の奥行き方向寸法をＬとした場合、手前側１１ａの端部から、奥行き方向寸法Ｌの（１／５〜１／３）×Ｌの範囲に設けるのが、製造する上において、あるいは強度の点からも良い。
１９は本立て部１２の前方に設けたページ見開き押え部であり、本立て部１２に書籍等を見開いて立て掛けた状態で、書籍等が不用意に閉じないよう押えるもの１９ａであり、台座部１１に蝶番１９ｂで回動自在に取り付けてある。【００２２】  また、図１において、三脚２は、各々が独自に伸縮自在な３本の脚２１ａ、２１ｂ、２１ｃで構成してある。これらの脚２１ａ、２１ｂ、２１ｃは一方が三脚連結部２２に回動自在に取り付けてあり、それぞれの脚２１ａ、２１ｂ、２１ｃは独立に回動可能としてある。２３は脚２１ａ、２１ｂ、２１ｃを所望の長さに伸縮した状態で、各脚２１ａ、２１ｂ、２１ｃを保持する保持手段である。２４は脚２１ａ、２１ｂ、２１ｃを所望の角度で、安定的に固定する固定部材である。三脚によっては、この固定手段２４を省略し、三脚連結部２２の内部で固定する構成のものもあり、本実施例でもこの構成のものを採用するものであってもよい。
三脚連結部２２には、この三脚連結部２２に対して上下動可能にエレベータアーム２５を設けてあり、このエレベータアーム２５の先端には三脚２の架台であり、雲台３を取付ける雲台取付け部２６を備えてある。２７はエレベータアーム２５の高さを調整する上下調整ハンドルであり、２８はエレベータアーム２５を所望の高さで固定する固定ツマミである。
雲台３は三脚２の雲台取付け部２６に取付ける。雲台３と雲台取付け部２６は一般的にはネジ取付け、あるいは凹凸嵌合によって固定される。ネジ取付けの場合、雲台取付け部２６には雄ねじが、そして雲台３にはこの雄ねじと螺合する雌ねじが配置されている。雲台３には、これが一般的なカメラ用の場合、カメラの底部に設けた雌ねじと螺合する雄ねじが配置されている。【００２３】  本実施例においては、書見台１に設けた取付け部１８に、雲台３に設けた雄ねじを螺合することにより、書見台１を雲台３の架台３１（図１は理解の容易のため斜視図としてあり、そのため架台３１は台座部１１に隠れているが、この架台３１は雲台３の上方に位置する。）に取付け固定する。雲台３は、架台３１を上下、左右方向に傾斜させる自由度と、水平方向に回転させる自由度を備えて構成してある。３２、３３、３４はこの自由度を調整し、架台３１を所望の位置で固定する調整ハンドルである。【００２４】  なお、雲台３には種々の構成が有り、種々の自由度を１つ調整ハンドルで可能とする自由雲台もあり、本実施例においてはこれを用いてもよく、また他の構成のものを用いてもよい。要するに、書見台１を良好な高さ、角度で保持できればよい。【００２５】  書見台１の雲台３への取付けに当たっては、まず三脚２に雲台３を取り付け、書見台１の台座部１１に設けた取付け部１８を構成する雌ねじに、雲台３の架台３１に備えた取付けねじである雌ねじに螺合し、台座部１１と雲台３とを安定的に固定する。次に、三脚２の、それぞれの脚２１ａ、２１ｂ、２１ｃを所望の長さに調整し、保持手段２３で保持する。更に、上下調整ハンドル２７でエレベータアーム２５の高さを調整し、調整ハンドル３２、３３、３４と書見台１の角度調整部材１３とで書見台１を粗調整し、書籍等を本立て部１２に見開いた状態で立て掛ける。【００２６】  次に、書籍等をより見易い角度に調整するには、調整ハンドル３２，３３、３４により、書見台１の角度の微調整を行い、必要に応じ、上下調整ハンドル２７でエレベータアーム２６の高さを調整し、書籍等を望ましい位置、角度に調整し、固定する。【００２７】  本実施例の場合、書見台１の取付け部１８の位置が、書見台１を構成する台座部１１の幅方向中央で、縦方向中央よりも手前側１１ａとしている。このため、雲台３に書見台１を取り付けるに際し、書見台１と雲台３との取付け部の位置合わせ、及び上下動調整ハンドル２７、調整ハンドル３２、３３、３４による書見台１の高さ、位置、角度の調整に際し、書見台１の手前側１１ａが、従来よりも後退する構成であるため、書見台１の高さ、角度、位置の調整に際し、上下調整ハンドル２７、調整ハンドル３２、３３、３４の操作において、書見台１の手前側１１ａが邪魔にならず、位置の調整操作が極めて容易となる。【００２８】  以上の実施例においては、角度調整部材１３は、その一辺を蝶番１５等で台座部１１に取付け、回動自在とした場合に付いて説明したが、この角度調整部材１３は、その一辺を本立て部１２の背面に蝶番１５等で回動自在に取り付けてもよい。この場合、ストッパー１６ａ、１６ｂ、…、１６ｎは台座部１１に設ける。
また、本実施例において、本立て部１２は単に板状の部材で構成した場合について説明したが、これはフォトフレーム等で構成してもよい。このようにすれば、書籍等を立て掛けない場合、このフォトフレーム内に収容した写真が観賞可能となる。【００２９】  更に、この実施例における書見台１は、雲台３を備えた三脚２への取付けを前提にしているが、この実施例に示した書見台１は、台座部１１と本立て部１２を備えているため、机上、テーブル等の上でも使用可能である。
【実施例２】
【００３０】  図５は本発明の他の実施例を示した書見台であり、実施例１に示した台座部１１と本立て部１２を台座部１１ｃで兼ねたものである。この台座部１１ｃには、その下端（手前側端）に台座部１１ｃとほぼ直角に書籍を載置する載置部１１ｄを設け、台座部１１ｃで書籍を見開いて立て掛け、載置部１１ｄで見開いた書籍を保持するよう構成してある。１９ａは台座部１１ｃに開いて立て掛けた書籍を、開いた状態で、これが容易に閉じないように押えるページ見開き押え部であり、載置部１１ｄの前方に回動自在に配置してあり、実施例１のページ押え部１９と同様の構成である。【００３１】  この場合においても、取付け部１８の位置は、書見台１を構成する台座部１１ｃの幅方向中央で、縦方向中央よりも手前側１１ａとする。勿論、台座部１１ｃの縦方向長さをＬとした場合、望ましくは、手前側１１ａの端部から、縦方向長さＬの（１／５〜１／３）×Ｌの範囲に設けるのが製造上、強度上から望ましい。【００３２】  この構成により、雲台３に書見台１を取り付けるに際し、取付け部１８の位置は、書見台１を構成する台座部１１ｃの幅方向中央で、縦方向中央よりも手前側１１ａとなる。このため、雲台３に書見台１を取り付けるに際し、書見台１と雲台３との取付け部の位置合わせ、及び上下動調整ハンドル２７、調整ハンドル３２、３３、３４による書見台１の高さ、位置、角度の調整に際し、書見台１の手前側１１ａが、従来よりも後退する構成であるため、書見台１の高さ、角度、位置の調整に際し、上下調整ハンドル２７、調整ハンドル３２、３３、３４の操作において、書見台１の手前側１１ａが邪魔にならず、書見台１の高さ、位置の調整操作が極めて容易となる。【００３３】  図６は本発明の実施例１に示した書見台１を、雲台３を備えた三脚２に固定し、書籍Ｂを書見台１に載置し、公園等で書籍Ｂを読んでいる状態を示した参考図である。
【符号の説明】
【００３４】１…書見台
２…三脚
３…雲台
１１…台座部
１２…本立て部
１３…角度調整部材
１６ａ、１６ｂ、・・・、１６ｎ…ストッパー
１８…取付け部
１９…ページ見開き押え部
２１ａ、２１ｂ、２１ｃ…脚
２２…三脚連結部
２３…保持手段
２４…固定部材
２５…エレベータアーム
２６…雲台取付け部
２７…上下調整ハンドル
３１…架台
３２、３３、３４…調整ハンドル
【図１】
0006451952.tif 000002
【図２】
0006451952.tif 000003
【図３】
0006451952.tif 000004
【図４】
0006451952.tif 000005
【図５】
0006451952.tif 000006
【図６】
0006451952.tif 000007